(57)【要約】【課題】ＬＥＤ照明器具を設置した天井面を明るくするのはもちろんのこと、器具本体付近においても明るさを保つことができる照明器具を提供することを目的とする。【解決手段】器具本体１と光源ユニット２とを備える照明器具Ａにおいて、光源ユニット２は基板２２と配光制御板３０とを有し、配光制御板３０には突出部２３２があり、その突出部２３２の後面３００と後面３００に挟まれる主透光部３０１とを有することによって、照明器具が設置されている付近を明るく保つことが可能となる。【選択図】図１
2015032568.tif 000002
【特許請求の範囲】
【請求項１】
長尺状の器具本体と、
前記器具本体の前面に取付けられる光源ユニットとを備え、
前記光源ユニットは、
複数のＬＥＤが実装された基板と、
前記器具本体の前面及び前記複数のＬＥＤを覆い、前記器具本体に沿うように長尺状をなし、前記複数のＬＥＤからの照射光を透過するカバー部とを有する照明器具において、
前記カバー部の前方には前記器具本体に沿った長尺板状の配光制御板を備え、
前記配光制御板は、
前記配光制御板の短手方向の中ほどにあって、前記複数のＬＥＤからの照射光を透過する主透過部と、
前記主透過部の両側にあって、前記器具本体の短手方向の両端よりも突出した突出部とを有し、
前記突出部の後面を構成する面は、
前記複数のＬＥＤからの照射光を前記器具本体の後方へ反射することを特徴とする照明器具。
【請求項２】
前記後面に当たった光の一部が透過することを特徴とする請求項１記載の照明器具。
【請求項３】
前記主透過部の内側を構成する面がプリズム構造であることを特徴とする請求項１または２記載の照明器具。
【発明の詳細な説明】
【技術分野】
【０００１】
本発明は、照明器具に関するものである。
【背景技術】
【０００２】
近年、ＬＥＤを用いた照明器具が多く存在する。ＬＥＤは光の指向性が強く、器具の側方、背面方向や天井面への光が弱くなり、天井直下は明るくなるが天井面が比較的暗くなり、部屋全体として見た場合に暗く感じてしまう問題が生じ易い。
【０００３】
そこで、ＬＥＤを用いた照明器具であっても、天井面への照射が可能な照明器具が開示されている。（例えば特許文献１）
【先行技術文献】
【特許文献】
【０００４】
【特許文献１】特開２０１０−１４０７９７号公報
【発明の概要】
【発明が解決しようとする課題】
【０００５】
しかしながら、前述した照明器具は、ＬＥＤからの照射光を天井面へ反射し、設置面を明るくすることは可能であるが、器具本体付近は暗いままであるという問題があった。
【０００６】
本発明は、従来の問題を解決するためになされたもので、照明器具を設置した設置面を明るくするのはもちろんのこと、器具本体付近においても明るさを保つことができる照明器具を提供することを目的とする。
【課題を解決するための手段】
【０００７】
本発明の照明器具は、長尺状の器具本体と、前記器具本体の前面に取付けられる光源ユニットとを備え、前記光源ユニットは、複数のＬＥＤが実装された基板と、前記器具本体の前面及び前記複数のＬＥＤを覆い、前記器具本体に沿うように長尺状をなし、前記複数のＬＥＤからの照射光を透過するカバー部とを有する照明器具において、前記カバー部の前方には前記器具本体に沿った長尺板状の配光制御板を備え、前記配光制御板は、前記配光制御板の短手方向の中ほどにあって、前記複数のＬＥＤからの照射光を透過する主透過部と、前記主透過部の両側にあって、前記器具本体の短手方向の両端よりも突出した突出部とを有し、前記突出部の後面を構成する面は、前記複数のＬＥＤからの照射光を前記器具本体の後方へ反射する。
【０００８】
また、本発明の照明器具は、前記後面に当たった光の一部が透過するものであってもよい。
【０００９】
また、本発明の照明器具は、前記主透過部の内側を構成する面がプリズム構造であるものであってもよい。
【発明の効果】
【００１０】
本発明は、照明器具を設置した設置面を明るく保ちつつ、器具本体付近をも明るく保つことができる照明器具を提供する。
【図面の簡単な説明】
【００１１】
【図１】実施形態１の照明器具を示し、（ａ）は光源ユニットと器具本体を取り外した状態の断面図、（ｂ）は光源ユニットお器具本体に取付けた状態の断面図
【図２】同上に用いられる光源ユニットの分解斜視図
【図３】実施形態２の照明器具の設置された状態の斜視図
【発明を実施するための形態】
【００１２】
（実施形態１）
以下に、照明器具の実施形態について図１〜図２を参照しながら説明する。なお、以下の実施形態の説明では特に断りがない限り、図１（ｂ）に示す向きにおいて上下左右の方向を規定し、さらに図１（ｂ）中の紙面に垂直な方向を前後方向（手前側が前側）と規定して説明を行う。
【００１３】
本実施形態の照明器具Ａは、図１（ｂ）に示すように天井直付け型の照明器具であり、吊ボルト（図示せず）を用いて天井材１００（造営材）に取り付けられる器具本体１と、器具本体１に対して着脱自在に取り付けられる光源ユニット２とを備える。
【００１４】
器具本体１は、前後方向（図１（ｂ）中の紙面に垂直な方向）に長い矩形板状に形成された底面部１１と、底面部１１の左右方向（幅方向）における両端から底面部１１と直交する方向に延出する一対の側面部１２とでＵ字状に形成されている。そして、本実施形態では、底面部１１及び両方の側面部１２，１２で囲まれる空間が凹部１３となる。
【００１５】
底面部１１の上面には、電線を通すための孔（図示せず）を有する突台部１１１と、吊ボルトを通すための孔（図示せず）を有する突台部１１２とが設けられている。
【００１６】
凹部１３の右側には、端子台（図示せず）が取り付けられ、この端子台と後述する電源装置２４との間が電線により接続される。
【００１７】
光源ユニット２は、複数（図２では２個）の基板２２と、基板２２が取り付けられる取付部材２１と、基板２２を覆うようにして取付部材２１に取り付けられるカバー部４０と、基板２２に所定の点灯電力を供給する電源装置２４とを具備する。
【００１８】
基板２２は、前後方向に長い矩形板状に形成されたプリント基板２２１からなり、プリント基板２２１の下面には複数のＬＥＤ２２２（発光素子）が前後方向（長手方向）に沿って実装されている。また、一方（図２中の右側）の基板２２の前端部（図２中の右端部）には、電源装置２４との間を電気的に接続するための電線（図示せず）が接続されたコネクタ２２３が実装されている。
【００１９】
また、それぞれの基板２２において隣接する基板２２と対向する端部には、電源供給用のコネクタ２２４が実装されている。そして、両方の基板２２，２２のコネクタ２２４，２２４を接続することで、一方（図２中の右側）の基板２２から他方（図２中の左側）の基板２２へ点灯電力を供給することができる。
【００２０】
取付部材２１は、板金に曲げ加工を施すことでＵ字状に形成され、前後方向に長い矩形板状に形成された底面部２１１と、底面部２１１の左右方向（幅方向）における両端から底面部２１１と直交する方向に延出する一対の側面部２１２とで構成される。
【００２１】
底面部２１１の前端部（図２中の右端部）には、基板２２と電源装置２４の間を電気的に接続する上記電線を通すための孔２１１ａが設けられている。また、底面部２１１の前後方向における中央部には、底面部２１１の一部を上向きに突出させることで形成された矩形の凹部２１１ｂが設けられている。この凹部２１１ｂは、基板２２に実装されたコネクタ２２４と底面部２１１との間の絶縁距離を確保するためのものである。
【００２２】
なお、上述した基板２２は、例えば取付部材２１の底面部２１１の一部を切り起こすことで形成された係止爪（図示せず）により取付部材２１に固定され、本実施形態では底面部２１１によりベースが構成されている。
【００２３】
カバー部４０は、透光性を有する透明な板状である。素材としてはアクリルやガラス等が考えられる。カバー部４０は、ねじ等で取付部材２１に固定されるものである。
【００２４】
配光制御板３０は、拡散性を有する材料（例えば乳白色のアクリル樹脂）により長尺状の板状に形成され、ＬＥＤ２２２の前面に設けられている。また、配光制御板２３は、左右方向（幅方向）において両端側から中央側に行くほど下側への突出量が大きくなっている（図１（ｂ）参照）。
【００２５】
さらに、配光制御板３０の左右方向における両端部には、図１（ｂ）に示すように、配光制御板３０を器具本体１に取付けた状態で、上下方向において器具本体１の両端部よりも突出した突出部２３２を有する。
【００２６】
突出部２３２の照明器具Ａ側である後面３００は、表面が乳白色素材等でコーティングされている。この後面３００に当たった光の一部は透過し、一部は反射する。その際、反射した光は、照明器具Ａが設置されている付近の天井材１００を照射する。そのことによって、部屋全体の明るさ感が明るく保たれるようになる。一方、透過した光は、照明器具Ａの下方を明るく保つ。ここで、乳白色素材でのコーティング以外に半反射膜などで構成されていてもよい。その他にも、透明樹脂と乳白色樹脂との二色成型を行うことによって、本実施形態でいう配光制御板３０を形成してもよい。
【００２７】
また、配光制御板３０の突出部２３２に挟まれる部分（配光制御板の短手方向の中ほど）には、主透過部３０１があり、ＬＥＤ２２２からの照射光を照明器具Ａの下方へと透過する。この主透過部３０１は、プリズム構造を採用してもよい。プリズム構造を採用することによって、主透過部３０１に当たった光は、拡散され、広範囲に渡って明るさを保つことが可能となる。
【００２８】
ここで、配光制御板３０に当たった光の反射について詳細に説明する。まず、ＬＥＤ２２２から照射された光は、透明なカバー部４０を透過し、反射制御板３０に当たる。その光の一部が主透過部３０１にあたり、おおよその光は透過される、そして、透過された光は、照明器具Ａの下方を照射する。
【００２９】
一方、光の一部は、突出部２３２に当たり、照明器具Ａの設置面方向に反射され、器具本体１の側面および設置面を照射する。そのことによって、照明器具Ａの設置面をも明るく保ち、設置面付近の暗がりを防止する。
【００３０】
電源装置２４は、電源基板２４１と、電源基板２４１を収納するための収納ケース２４２とを具備する。電源基板２４１は、前後方向に長い矩形板状に形成されたプリント基板２４１ａからなり、プリント基板２４１ａには、少なくともＬＥＤ２２２の点灯電力を生成するための電子部品（例えばトランスやダイオード、コンデンサなど）２４１ｂが実装されている。
【００３１】
収納ケース２４２は、図２に示すように、一面（取付部材２１の底面部２１１との対向面）が開口し且つ前後方向に長い矩形箱状に形成されている。この収納ケース２４２は、開口側が取付部材２１の底面部２１１と対向するようにして、例えば、ねじ等を用いて取付部材２１の側面部２１２に取り付けられる。
【００３２】
次に、光源ユニット２の組立手順について説明する。まず最初に、作業者は、電源装置２４を取付部材２１の底面部２１１の上面に固定し、さらに上記係止爪により２枚の基板２２，２２を取付部材２１の底面部２１１の下面に固定する。その後、作業者は、基板２２のコネクタ２２３から導出する電線を取付部材２１の底面部２１１に設けた孔２１１ａに通し、その端部を電源装置２４に接続する。
【００３３】
また、図１（ａ）に示すように、器具本体１と取付部材２１は取外し可能である。器具本体１が取付部材２１を保持する方法に関しては、当業者が考え得る機構であればいずれの機構であってもよい。例えば、器具本体１にツメを設け、取付部材２１にバネ機構を有する突起を備えることで、器具本体１と取付部材２１を自在に取外し可能な状態となる。
【００３４】
また、図２に示すように取付部材２１の長手方向の両端には吊り下げ金具５０１が設けられている。取付部材２１の両端には平らな部分があり、その平らな部分の下面にボルト等によって吊り下げ金具５０１が備えられている。吊り下げ金具５０１の先端には、配光制御板３０がネジ止めすることによって備えられている。配光制御板３０を固定する方法としては、ネジ止め以外にも、その他当業者であれば通常考え得る方法であれば、いずれの方法を用いてもよい。
（実施形態２）
以下、実施形態２について図３を用いて説明する。また、実施形態１と同様の構造部分に関しては説明を省略する。
【００３５】
本実施形態に示す照明器具Ａは天井材１００に吊り下げ設置されるペンダント型照明器具である。
【００３６】
照明器具Ａが天井材１００から垂れ下がったワイヤー５００によって吊り下げられ、給電線がワイヤー５００に沿って照明器具Ａに入れ込まれている。
【符号の説明】
【００３７】
１  器具本体
２  光源ユニット
１２  側面部
１３  凹部
２１  取付部材
２２  基板
１００  天井材（造営材）
２１１  底面部（ベース）
２２２  ＬＥＤ（発光素子）
【図１】
2015032568.tif 000003
【図２】
2015032568.tif 000004
【図３】
2015032568.tif 000005